(57)【要約】      （修正有）【課題】各肩紐通し部を肩紐の挿通方向に並列状に皺寄せして複数個の皺を形成することができ、各肩紐通し部の皺の数により各種の膨出サイズのカップ部を得ることができ、着用者のバストサイズに対応する各種の膨出サイズのカップ部を容易に得ることができる婦人用下着を提供する。【解決手段】少なくとも、左右一対のカップ部Ｒ・Ｌ、左右一対のカップ部の接続部Ｓ及び左右一対の肩紐ＨＲ・ＨＬを備えてなり、上記右側のカップ部の上辺部ＲＵ、上記接続部及び上記左側のカップ部の下辺部ＬＤに上記右側の肩紐を連続して挿通可能な右肩紐通し部ＦＲが形成され、上記左側のカップ部の上辺部ＬＵ、上記接続部及び上記右側のカップ部の下辺部ＲＤに上記左側の肩紐を連続して挿通可能な左肩紐通し部ＦＬが形成され、左右一対の肩紐が各肩紐通し部に接続部で交差して挿通され、各肩紐通し部は肩紐の挿通方向に並列状に皺寄せ可能に形成されてなる。【選択図】図３
2020056118.tif 000002
【特許請求の範囲】
【請求項１】
少なくとも、左右一対のカップ部、該左右一対のカップ部の接続部及び左右一対の肩紐を備えてなり、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、該左右一対の肩紐が各肩紐通し部に該接続部で交差して挿通され、各肩紐通し部は肩紐の挿通方向に並列状に皺寄せ可能に形成されてなることを特徴とする婦人用下着。
【請求項２】
上記左右一対の肩紐の各前端部は上記左右一対の各カップ部の各下辺部の近傍位置に止着されてなることを特徴とする請求項１記載の婦人用下着。
【請求項３】
上記左右一対の肩紐の各前端部は上記左右一対の各カップ部の各下辺部の近傍位置に着脱自在に止着されてなることを特徴とする請求項１記載の婦人用下着。
【請求項４】
上記左右一対のカップ部の各外側方位置に左右一対の側部分が形成され、該左右一対の側部分に上記左右一対の肩紐を挿通可能な左右一対の紐通し部が形成され、左右一対の肩紐が左右一対の各紐通し部に挿通され、左右一対の肩紐の各後端部が相互に縛着されてなることを特徴とする請求項１〜３のいずれか１項に記載の記載の婦人用下着。
【請求項５】
少なくとも、左右一対のカップ部、該左右一対のカップ部の接続部及び左右一対の肩紐となる一個の紐を備えてなり、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、該左右一対の肩紐が各肩紐通し部に該接続部で交差して挿通され、上記左右一対のカップ部の各下辺部及び接続部に筒状のウエスト部の前部分が垂設され、該ウエスト部の後部分の上辺部に上記左右一対の交差状の肩紐となる紐の中間部分が挿通可能な後紐通し部が形成され、該左右一対の交差状の肩紐となる紐の中間部分が該後紐通し部に挿通され、各肩紐通し部は肩紐の挿通方向に並列状に皺寄せ可能に形成されてなることを特徴とする婦人用下着。
【請求項６】
上記左右一対の肩紐の各前端部は上記左右一対のカップ部の各下辺部の近傍位置に着脱自在に止着されてなることを特徴とする請求項５記載の婦人用下着。
【発明の詳細な説明】
【技術分野】
【０００１】
本発明は、例えば、ブラジャーや、キャミソールなどの左右一対のカップ部、左右一対のカップ部の接続部及び左右一対の肩紐を備えてなる婦人用下着に関するものである。
【背景技術】
【０００２】
従来、この種の婦人用下着として、少なくとも、左右一対のカップ部、左右一対のカップ部の接続部及び左右一対の肩紐を備えてなる構造のブラジャー、又は、左右一対のカップ部、左右一対のカップ部の接続部、左右一対の肩紐及び左右一対のカップ部の各下辺部に筒状のウエスト部の前部分が垂設され、ウエスト部の後部分に左右一対の肩紐の後端部が交差して止着されてなる構造のキャミソールも知られている。
【先行技術文献】
【特許文献】
【０００３】
【特許文献１】実用新案登録第３２１７５３５号
【特許文献２】特開２００７−３２１２４９
【特許文献３】特許第６３１７０２９号
【発明の概要】
【発明が解決しようとする課題】
【０００４】
しかしながらこれら従来構造の場合、上記カップ部は着用者のバストサイズに対応して数種類の膨出サイズのブラジャーやキャミソールが用意され、それら下着の製造管理、販売管理及び在庫管理の各工程が繁雑となることがあるという不都合を有している。
【課題を解決するための手段】
【０００５】
本発明はこのような不都合を解決することを目的とするもので、本発明のうちで、請求項１記載の発明は、少なくとも、左右一対のカップ部、該左右一対のカップ部の接続部及び左右一対の肩紐を備えてなり、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、該左右一対の肩紐が各肩紐通し部に該接続部で交差して挿通され、各肩紐通し部は肩紐の挿通方向に並列状に皺寄せ可能に形成されてなることを特徴とする婦人用下着にある。
【０００６】
又、請求項２記載の発明は、上記左右一対の肩紐の各前端部は上記左右一対の各カップ部の各下辺部の近傍位置に止着されてなることを特徴とするものであり、又、請求項３記載の発明は、上記左右一対の肩紐の各前端部は上記左右一対の各カップ部の各下辺部の近傍位置に着脱自在に止着されてなることを特徴とするものであり、又、請求項４記載の発明は、上記左右一対のカップ部の各外側方位置に左右一対の側部分が形成され、該左右一対の側部分に上記左右一対の肩紐を挿通可能な左右一対の紐通し部が形成され、左右一対の肩紐が左右一対の各紐通し部に挿通され、左右一対の肩紐の各後端部が相互に縛着されてなることを特徴とするものである。
【０００７】
又、請求項５記載の発明は、少なくとも、左右一対のカップ部、該左右一対のカップ部の接続部及び左右一対の肩紐となる一個の紐を備えてなり、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、該左右一対の肩紐が各肩紐通し部に該接続部で交差して挿通され、上記左右一対のカップ部の各下辺部及び接続部に筒状のウエスト部の前部分が垂設され、該ウエスト部の後部分の上辺部に上記左右一対の交差状の肩紐となる紐の中間部分が挿通可能な後紐通し部が形成され、該左右一対の交差状の肩紐となる紐の中間部分が該後紐通し部に挿通され、各肩紐通し部は肩紐の挿通方向に並列状に皺寄せ可能に形成されてなることを特徴とする婦人用下着にある。
【０００８】
又、請求項６記載の発明は、上記左右一対の肩紐の各前端部は上記左右一対のカップ部の各下辺部の近傍位置に着脱自在に止着されてなることを特徴とするものである。
【発明の効果】
【０００９】
本発明は上述の如く、請求項１記載の発明にあっては、左右一対のカップ部、左右一対のカップ部の接続部及び左右一対の肩紐を備え、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、左右一対の肩紐が各肩紐通し部に接続部で交差して挿通され、各肩紐通し部は肩紐の挿通方向に並列状に皺寄せ可能に形成されているから、各肩紐通し部を肩紐の挿通方向に並列状に皺寄せして複数個の皺を形成することができ、各肩紐通し部の皺の数により各種の膨出サイズのカップ部を得ることができ、着用者のバストサイズに対応する各種の膨出サイズのカップ部を容易に得ることができ、着用者のバストを良好に保護することができ、数種類の膨出サイズのカップ部を用意することもなく、製造管理、販売管理及び在庫管理も容易に行うことができ、経済性を向上することができる。
【００１０】
又、請求項２記載の発明にあっては、上記左右一対の肩紐の各前端部は上記左右一対の各カップ部の各下辺部の近傍位置に止着しているから、各肩紐通し部を肩紐の挿通方向に並列状に皺寄せして複数個の皺を形成し、左右一対の各肩紐を引くことにより各肩紐の弛みを抑制することができ、カップ部の膨出サイズを安定的に維持することができ、又、請求項３記載の発明にあっては、上記左右一対の肩紐の各前端部を上記左右一対の各カップ部の各下辺部の近傍位置に着脱自在に止着しているから、左右一対の肩紐の各前端部を各下辺部の近傍位置から取り外すことにより左右一対の肩紐の洗濯を容易に行うことができ、左右一対の肩紐の取替交換も容易に行うことができ、使用の利便性を向上することができ、又、請求項４記載の発明にあっては、上記左右一対のカップ部の各外側方位置に左右一対の側部分が形成され、左右一対の側部分に上記左右一対の肩紐を挿通可能な左右一対の紐通し部が形成され、左右一対の肩紐が左右一対の各紐通し部に挿通され、左右一対の肩紐の各後端部を相互に縛着して構成しているから、上記左右一対のカップ部を着用者のバストに安定的に装着することができ、着用者に快適な使用感を与えることができる。
【００１１】
又、請求項５記載の発明にあっては、左右一対のカップ部、左右一対のカップ部の接続部及び左右一対の肩紐となる紐を備え、上記右側のカップ部の上辺部、上記接続部及び上記左側のカップ部の下辺部に上記右側の肩紐を連続して挿通可能な右肩紐通し部が形成され、上記左側のカップ部の上辺部、上記接続部及び上記右側のカップ部の下辺部に上記左側の肩紐を連続して挿通可能な左肩紐通し部が形成され、左右一対の肩紐が各肩紐通し部に接続部で交差して挿通され、上記左右のカップ部の各下辺部及び接続部に筒状のウエスト部の前部分が垂設され、ウエスト部の後部分の上辺部に上記左右一対の交差状の肩紐となる紐の中間部分が挿通可能な後紐通し部が形成され、左右一対の交差状の肩紐となる紐の中間部分が該後紐通し部に挿通され、各肩紐通し部は肩紐の挿通方向に並列状に皺寄せ可能に形成されているから、各肩紐通し部に肩紐の挿通方向に並列状に皺寄せして複数個の皺を形成することができ、各肩紐通し部の皺の数により各種の膨出サイズのカップ部を得ることができ、着用者のバストサイズに対応する各種の膨出サイズのカップ部を容易に得ることができ、着用者のバストを良好に保護することができ、かつ、数種類の膨出サイズのカップ部を用意することもなく、製造管理、販売管理及び在庫管理も容易に行うことができ、経済性を向上することができる。
【００１２】
又、請求項６記載の発明にあっては、上記左右一対の肩紐の各前端部は上記左右一対の各カップ部の各下辺部の近傍位置に着脱自在に止着されているから、左右一対の肩紐の各前端部を各下辺部の近傍位置から取り外すことにより左右一対の肩紐の洗濯を容易に行うことができ、左右一対の肩紐の取替交換も容易に行うことができ、使用の利便性を向上することができる。
【図面の簡単な説明】
【００１３】
【図１】本発明の実施の第一形態例の全体正面図である。
【図２】本発明の実施の第一形態例の全体背面図である。
【図３】本発明の実施の第一形態例の全体説明図である。
【図４】本発明の実施の第一形態例の部分側断面図である。
【図５】本発明の実施の第一形態例の部分平断面図である。
【図６】本発明の実施の第一形態例の使用状態の全体正面図である。
【図７】本発明の実施の第一形態例の使用状態の全体背面図である。
【図８】本発明の実施の第一形態例の使用状態の斜視図である。
【図９】本発明の実施の第二形態例の全体背面図である。
【図１０】本発明の実施の第二形態例の全体背面図である。
【図１１】本発明の実施の第三形態例の全体正面図である。
【図１２】本発明の実施の第三形態例の全体背面図である。
【図１３】本発明の実施の第三形態例の使用状態の全体正面図である。
【図１４】本発明の実施の第三形態例の使用状態の全体背面図である。
【図１５】本発明の実施の第三形態例の使用状態の斜視図である。
【発明を実施するための形態】
【００１４】
図１乃至図１５は本発明の実施の形態例であって、図１乃至図８は請求項１、請求項２及び請求項４の発明に対応する第一形態例、図９、図１０は請求項３の発明に対応する第二形態例、図１１乃至図１５は請求項５及び請求項６の発明に対応する第三形態例である。
【００１５】
図１乃至図８の第一形態例において、この場合、ブラジャーに適用されたものであり、図１、図２、図４、図５、図６の如く、Ｒ・Ｌは左右一対のカップ部であって、左右一対のカップ部Ｒ・Ｌの接続部Ｓ及び左右一対の肩紐ＨＲ・ＨＬを備えてなり、上記右側のカップ部Ｒの上辺部ＲＵ、上記接続部Ｓ及び上記左側のカップ部Ｌの下辺部ＬＤに上記右側の肩紐ＨＲを連続して挿通可能な右肩紐通し部ＦＲが形成され、上記左側のカップ部Ｌの上辺部ＬＵ、上記接続部Ｓ及び上記右側のカップ部Ｒの下辺部ＲＤに上記左側の肩紐ＨＬを連続して挿通可能な左肩紐通し部ＦＬが形成され、左右一対の肩紐ＨＲ・ＨＬが各肩紐通し部ＦＲ・ＦＬに接続部Ｓで交差して挿通され、各肩紐通し部ＦＲ・ＦＬは肩紐ＨＲ・ＨＬの挿通方向に並列状に皺寄せ可能に形成され、各肩紐通し部ＦＲ・ＦＬに肩紐ＨＲ・ＨＬの挿通方向に並列状に皺寄せして複数個の皺（所謂、「ギャザー」と称される。）Ｇ・・を形成するように構成している。
【００１６】
この場合、図１の如く、上記左右一対の肩紐ＨＲ・ＨＬの各前端部ＨＲＦ・ＨＬＦは上記左右一対の各カップ部Ｒ・Ｌの各下辺部ＲＤ・ＬＤの近傍位置に縫成により止着して構成している。
【００１７】
又、この場合、上記左右一対のカップ部Ｒ・Ｌの各外側方位置に左右一対の側部分ＲＳ・ＬＳが形成され、左右一対の側部分ＲＳ・ＬＳに上記左右一対の肩紐ＨＲ・ＨＬを挿通可能な左右一対の紐通し部ＱＲ・ＱＬが形成され、かつ、右側のカップ部Ｒと右側の側部分ＲＳの中間位置及び左側のカップ部Ｌと左側の側部分ＬＳの中間位置にパットＰ・Ｐを挿入する左右一対のスリットＲＰ・ＬＰが形成され、図７の如く、左右一対の肩紐ＨＲ・ＨＬが着用者Ｍの背中側で交差して左右一対の各紐通し部ＱＲ・ＱＬに挿通され、左右一対の肩紐ＨＲ・ＨＬの後端部ＨＲＢ・ＨＬＢを相互に縛着して構成されている。
【００１８】
この実施の第一形態例は上記構成であるから、図６、図７、図８の如く、左右一対のカップ部Ｒ・Ｌ、左右一対のカップ部Ｒ・Ｌの接続部Ｓ及び左右一対の肩紐ＨＲ・ＨＬを備え、上記右側のカップ部Ｒの上辺部ＲＵ、上記接続部Ｓ及び上記左側のカップ部Ｌの下辺部ＬＤに上記右側の肩紐ＨＲを連続して挿通可能な右肩紐通し部ＦＲが形成され、上記左側のカップ部Ｌの上辺部ＬＵ、上記接続部Ｓ及び上記右側のカップ部Ｒの下辺部ＲＤに上記左側の肩紐ＨＬを連続して挿通可能な左肩紐通し部ＦＬが形成され、左右一対の肩紐ＨＲ・ＨＬが各肩紐通し部ＦＲ・ＦＬに接続部Ｓで交差して挿通され、各肩紐通し部ＦＲ・ＦＬは肩紐ＨＲ・ＨＬの挿通方向に並列状に皺寄せ可能に形成され、従って、各肩紐通し部ＦＲ・ＦＬを肩紐ＨＲ・ＨＬの挿通方向に並列状に皺寄せして複数個の皺Ｇ・・を形成することができ、各肩紐通し部ＦＲ・ＦＬの皺Ｇの数により各種の膨出サイズのカップ部Ｒ・Ｌを得ることができ、着用者Ｍのバストサイズに対応する各種の膨出サイズのカップ部Ｒ・Ｌを容易に得ることができ、着用者ＭのバストＭＢを良好に保護することができ、かつ、数種類の膨出サイズのカップ部Ｒ・Ｌを用意することもなく、製造管理、販売管理及び在庫管理も容易に行うことができ、経済性を向上することができる。
【００１９】
この場合、図１、図３、図６の如く、上記左右一対の肩紐ＨＲ・ＨＬの各前端部ＨＲＦ・ＨＬＦは上記左右一対の各カップ部Ｒ・Ｌの各下辺部ＲＤ・ＬＤの近傍位置に止着しているから、各肩紐通し部ＦＲ・ＦＬを肩紐ＨＲ・ＨＬの挿通方向に並列状に皺寄せして複数個の皺Ｇ・・を形成し、その後、左右一対の各肩紐ＨＲ・ＨＬを引くことにより各肩紐ＨＲ・ＨＬの弛みを抑制することができ、カップ部Ｒ・Ｌの膨出サイズを安定的に維持することができ、又、この場合、上記左右一対のカップ部Ｒ・Ｌの各外側方位置に左右一対の側部分ＲＳ・ＬＳが形成され、左右一対の側部分ＲＳ・ＬＳに上記左右一対の肩紐ＨＲ・ＨＬを挿通可能な左右一対の紐通し部ＱＲ・ＱＬが形成され、左右一対の肩紐ＨＲ・ＨＬが左右一対の各紐通し部ＱＲ・ＱＬに挿通され、左右一対の肩紐ＨＲ・ＨＬの各後端部ＨＲＢ・ＨＬＢを相互に縛着して構成しているから、上記左右一対のカップ部Ｒ・Ｌを着用者ＭのバストＭＢに安定的に装着することができ、着用者Ｍに快適な使用感を与えることができる。
【００２０】
図９、図１０の第二形態例は別例構造を示し、この場合、図９の如く、上記第一形態例の左右一対の各カップ部Ｒ・Ｌの各下辺部ＲＤ・ＬＤの近傍位置に左右一対の環状片ＫＲ・ＫＬが形成され、上記左右一対の肩紐ＨＲ・ＨＬの各前端部ＨＲＦ・ＨＬＦは上記左右一対の各カップ部Ｒ・Ｌの各下辺部ＲＤ・ＬＤの近傍位置の環状片ＫＲ・ＫＬに縛着により着脱自在に止着している。尚、上記左右一対の肩紐ＨＲ・ＨＬの各前端部ＨＲＦ・ＨＬＦの着脱構造として、上記左右一対の環状片ＫＲ・ＫＬに縛着する構造を採用しているが、ボタンやホック、面ファスナー等を採用した着脱構造を適用することもある。
【００２１】
この第二形態例にあっては、図９、図１０の如く、上記左右一対の肩紐ＨＲ・ＨＬの各前端部ＨＲＦ・ＨＬＦを上記左右一対の各カップ部Ｒ・Ｌの各下辺部ＲＤ・ＬＤの近傍位置に着脱自在に止着しているから、上記縛着を解いて左右一対の肩紐ＨＲ・ＨＬの各前端部ＨＲＦ・ＨＬＦを各下辺部ＲＤ・ＬＤの近傍位置から取り外すことにより左右一対の肩紐ＨＲ・ＨＬの洗濯を容易に行うことができ、左右一対の肩紐ＨＲ・ＨＬの取替交換も容易に行うことができ、使用の利便性を向上することができる。
【００２２】
図１１乃至図１５の第三形態例は別例構造を示し、この場合、キャミソールに適用されたものであり、図１１、図１２、図１３、図１４の如く、Ｒ・Ｌは左右一対のカップ部であって、左右一対のカップ部Ｒ・Ｌの接続部Ｓ及び左右一対の肩紐ＨＲ・ＨＬとなる紐Ｈを備えてなり、すなわち、上記第一形態例及び上記第二形態例においては、２本の肩紐ＨＲ・ＨＬが用いられているが、この場合、上記左右一対の肩紐ＨＲ・ＨＬの後端部ＨＬＢ・ＨＲＢが繋がったと同じ一個の紐Ｈが用いられており、上記右側のカップ部Ｒの上辺部ＲＵ、上記接続部Ｓ及び上記左側のカップ部Ｌの下辺部ＬＤに上記右側の肩紐ＨＲを連続して挿通可能な右肩紐通し部ＦＲが形成され、上記左側のカップ部Ｌの上辺部ＬＵ、上記接続部Ｓ及び上記右側のカップ部Ｒの下辺部ＲＤに上記左側の肩紐ＨＬを連続して挿通可能な左肩紐通し部ＦＬが形成され、左右一対の肩紐ＨＲ・ＨＬが各肩紐通し部ＦＲ・ＦＬに接続部Ｓで交差して挿通され、上記左右一対のカップ部Ｒ・Ｌの各下辺部ＲＤ・ＬＤ及び接続部Ｓに筒状のウエスト部Ｗの前部分ＷＦが垂設され、ウエスト部Ｗの後部分ＷＢの上辺部ＷＵに上記左右一対の交差状の肩紐ＨＲ・ＨＬとなる紐Ｈの中間部分が挿通可能な後紐通し部ＦＷが形成され、左右一対の交差状の肩紐ＨＲ・ＨＬとなる紐Ｈの中間部分が後紐通し部ＦＷに挿通され、かつ、上記左右一対のカップ部Ｒ・Ｌの外側部分にパットＰ・Ｐを挿入する左右一対のスリットＲＰ・ＬＰが形成され、各肩紐通し部ＦＲ・ＦＬは肩紐ＨＲ・ＨＬの挿通方向に並列状に皺寄せ可能に形成され、かつ、後紐通し部ＦＷは肩紐ＨＲ・ＨＬの挿通方向に並列状に皺寄せ可能に形成され、各肩紐通し部ＦＲ・ＦＬ及び後紐通し部ＦＷに肩紐ＨＲ・ＨＬの挿通方向に並列状に皺寄せして複数個の皺Ｇ・・を形成するように構成している。
【００２３】
この場合、図１１の如く、上記左右一対の各カップ部Ｒ・Ｌの各下辺部ＲＤ・ＬＤの近傍位置に左右一対の環状片ＫＲ・ＫＬが形成され、上記左右一対の肩紐ＨＲ・ＨＬの各前端部ＨＲＦ・ＨＬＦは上記左右一対の各カップ部Ｒ・Ｌの各下辺部ＲＤ・ＬＤの近傍位置の環状片ＫＲ・ＫＬに縛着により着脱自在に止着されている。
【００２４】
この実施の第三形態例は上記構成であるから、図１３、図１４、図１５の如く、左右一対のカップ部Ｒ・Ｌ、左右一対のカップ部Ｒ・Ｌの接続部Ｓ及び左右一対の肩紐ＨＲ・ＨＬとなる紐Ｈを備え、上記右側のカップ部Ｒの上辺部ＲＵ、上記接続部Ｓ及び上記左側のカップ部Ｌの下辺部ＬＤに上記右側の肩紐ＨＲを連続して挿通可能な右肩紐通し部ＦＲが形成され、上記左側のカップ部Ｌの上辺部ＬＵ、上記接続部Ｓ及び上記右側のカップ部Ｒの下辺部ＲＤに上記左側の肩紐ＨＬを連続して挿通可能な左肩紐通し部ＦＬが形成され、左右一対の肩紐ＨＲ・ＨＬが各肩紐通し部ＦＲ・ＦＬに接続部Ｓで交差して挿通され、上記左右一対のカップ部Ｒ・Ｌの各下辺部ＲＤ・ＬＤ及び接続部Ｓに筒状のウエスト部Ｗの前部分ＷＦが垂設され、ウエスト部Ｗの後部分ＷＢの上辺部ＷＵに上記左右一対の交差状の肩紐ＨＲ・ＨＬとなる紐Ｈの中間部分が挿通可能な後紐通し部ＦＷが形成され、左右一対の交差状の肩紐ＨＲ・ＨＬとなる紐Ｈの中間部分が後紐通し部ＦＷに挿通され、各肩紐通し部ＦＲ・ＦＬ及び後紐通し部ＦＷは肩紐ＨＲ・ＨＬとなる紐Ｈの挿通方向に並列状に皺寄せ可能に形成され、従って、各肩紐通し部ＦＲ・ＦＬを肩紐ＨＲ・ＨＬとなる紐Ｈの挿通方向に並列状に皺寄せして複数個の皺Ｇ・・を形成することができ、各肩紐通し部ＦＲ・ＦＬの皺Ｇの数により各種の膨出サイズのカップ部Ｒ・Ｌを得ることができ、かつ、後紐通し部ＦＷを肩紐ＨＲ・ＨＬとなる紐Ｈの挿通方向に並列状に皺寄せして複数個の皺Ｇ・・を形成することができ、後紐通し部ＦＷの皺Ｇの数により後ろ身頃の身幅を調節することができ、着用者Ｍのバストサイズに対応する各種の膨出サイズのカップ部Ｒ・Ｌを容易に得ることができ、着用者ＭのバストＭＢを良好に保護することができ、かつ、数種類の膨出サイズのカップ部Ｒ・Ｌを用意することもなく、製造管理、販売管理及び在庫管理も容易に行うことができ、経済性を向上することができる。
【００２５】
又、この場合、上記左右一対の肩紐ＨＲ・ＨＬの各前端部ＨＲＦ・ＨＬＦは上記左右一対の各カップ部Ｒ・Ｌの各下辺部ＲＤ・ＬＤの近傍位置に着脱自在に止着されているから、上記縛着を解いて左右一対の肩紐ＨＲ・ＨＬの各前端部ＨＲＦ・ＨＬＦを各下辺部ＲＤ・ＬＤの近傍位置から取り外すことにより左右一対の肩紐ＨＲ・ＨＬの洗濯を容易に行うことができ、左右一対の肩紐ＨＲ・ＨＬの取替交換も容易に行うことができ、使用の利便性を向上することができる。
【００２６】
尚、本発明は上記実施の形態例に限られるものではなく、カップ部Ｒ・Ｌ、接続部Ｓ、肩紐通し部ＦＲ・ＦＬ、肩紐ＨＲ・ＨＬ、ウエスト部Ｗの構造等は適宜変更して設計される。
【００２７】
以上、所期の目的を充分達成することができる。
【符号の説明】
【００２８】
Ｒ    右側のカップ部
Ｌ    左側のカップ部
Ｓ    接続部
ＦＲ    右側の肩紐通し部
ＦＬ    左側の肩紐通し部
ＨＲ    右側の肩紐
ＨＬ    左側の肩紐
Ｇ    皺
Ｈ    紐
ＨＲＦ    右側の肩紐の前端部
ＨＬＦ    左側の肩紐の前端部
ＨＲＢ    右側の肩紐の後端部
ＨＬＢ    左側の肩紐の後端部
ＲＤ    右側のカップ部の下辺部
ＬＤ    左側のカップ部の下辺部
ＲＵ    右側のカップ部の上辺部
ＬＵ    左側のカップ部の上辺部
ＲＳ    右側の側部分
ＬＳ    左側の側部分
ＱＲ    右側の紐通し部
ＱＬ    左側の紐通し部
Ｗ    ウエスト部
ＷＦ    前部分
ＷＢ    後部分
ＷＵ    後部分の上辺部
ＦＷ    後紐通し部
【図１】
2020056118.tif 000003
【図２】
2020056118.tif 000004
【図３】
2020056118.tif 000005
【図４】
2020056118.tif 000006
【図５】
2020056118.tif 000007
【図６】
2020056118.tif 000008
【図７】
2020056118.tif 000009
【図８】
2020056118.tif 000010
【図９】
2020056118.tif 000011
【図１０】
2020056118.tif 000012
【図１１】
2020056118.tif 000013
【図１２】
2020056118.tif 000014
【図１３】
2020056118.tif 000015
【図１４】
2020056118.tif 000016
【図１５】
2020056118.tif 000017